(57)【要約】【課題】押し釦の操作を確実に成して不用意なガスの噴出や着火事故を防止し、安全性を向上させた着火器を提供する。【解決手段】筒形に形成されて外筒２２が固定筒２２ａと可動筒２２ｂとから成り、該可動筒２２ｂがスライド自在な着火器２１であって、前記外筒２２内には少なくとも、ガス噴出レバー２３を押圧してガス噴出ノズル２４からガスを噴出させる押し釦２５と、高電圧を発生させて前記ガスに着火するために設けられる圧電ユニット２６とを備え、前記可動筒２２ｂは前記押し釦２５を隠蔽状態に設け、前記可動筒２２ｂをスライドすると前記押し釦２５を現出させ、更に前記可動筒２２ｂをスライドすると前記圧電ユニット２６を操作する操作アーム３３を引き下げて高電圧を発生させる構成にした。【選択図】図９
2010175212.tif 000002
【特許請求の範囲】
【請求項１】
筒形に形成されて外筒が固定筒と可動筒とから成り、該可動筒がスライド自在な着火器であって、
前記外筒内には少なくとも、ガス噴出レバーを押圧してガス噴出ノズルからガスを噴出させる押し釦と、高電圧を発生させて前記ガスに着火するために設けられる圧電ユニットとを備え、
前記可動筒は前記押し釦を隠蔽状態に設け、前記可動筒をスライドすると前記押し釦を現出させ、更に前記可動筒をスライドすると前記圧電ユニットを操作する操作アームを引き下げて高電圧を発生させる構成にしたこと
を特徴とする着火器。
【請求項２】
前記可動筒に設けた係止突部と前記操作アームの端部とを係止させ、前記可動筒をスライドして前記操作アームを引き下げ、該操作アームの押圧部が前記圧電ユニットの内箱を押し込め方向に操作して、高電圧を発生させること
を特徴とする請求項１に記載の着火器。
【発明の詳細な説明】
【技術分野】
【０００１】
本発明は、着火器に関するものであり、更に詳しくは、不使用時にはガス噴出用の押し釦を隠蔽状態にし、使用時に押し釦を現出させることにより、押し釦の操作を確実に成して安全性を向上させた着火器に関するものである。
【背景技術】
【０００２】
従来、この種の着火器としては、図１１に示す構成のものが知られている。この着火器１は、本体部２と、この本体部２の上部に設けられる所定長さの外筒部３とから成り、本体部２には、操作摘み４で押圧操作する圧電ユニット５と、この圧電ユニット５にガス放出用レバー６を介して隣接するノズルユニット７とを備える。また、ノズルユニット７の先端部にはガス噴出用のノズル８を有し、このノズル８には所定長さのガス筒９が連設されている（特許文献１参照）。
【０００３】
このような構成の着火器１は、操作摘み４を指で押圧操作すると圧電ユニット５が作動すると共に、ガス放出用レバー６が作動してノズル８からガスが噴出し、当該ガスがガス筒９の先端のガス放出ノズル１０から放出される。それと同時に外筒部３の先端部に設けた放電端子１１とガス放出ノズル１０との間に放電火花が発生して、放出されたガスに着火することとなる。
【先行技術文献】
【特許文献】
【０００４】
【特許文献１】特開平６−３０７６３８号公報
【発明の概要】
【発明が解決しようとする課題】
【０００５】
この従来例の着火器１においては、本体部２の上部に操作摘み４が露出した状態で設けられているので、着火器１をカバンの中等に無造作に入れたときに、他の収納物が操作用摘み４に接触して押圧し、ガスが噴出したりあるいは着火したりする恐れがあるという問題点を有している。
【０００６】
また、圧電ユニット５の操作とガス噴出の操作との両方の操作を、操作摘み４を指で押して一緒におこなうので、操作摘み４の押圧感が重くなり、指の不自由な方や老人等には操作し難いという欠点を有している。
【０００７】
従って、従来例における着火器１においては、操作摘み４の操作を確実に成して不用意なガスの噴出や着火事故を防止し安全性を向上させることと、操作摘み４の操作性を向上させることとに解決しなければならない課題を有している。
【課題を解決するための手段】
【０００８】
前記従来例の課題を解決する具体的手段として本発明は、筒形に形成されて外筒が固定筒と可動筒とから成り、該可動筒がスライド自在な着火器であって、前記外筒内には少なくとも、ガス噴出レバーを押圧してガス噴出ノズルからガスを噴出させる押し釦と、高電圧を発生させて前記ガスに着火するために設けられる圧電ユニットとを備え、前記可動筒は前記押し釦を隠蔽状態に設け、前記可動筒をスライドすると前記押し釦を現出させ、更に前記可動筒をスライドすると前記圧電ユニットを操作する操作アームを引き下げて高電圧を発生させる構成にしたことを特徴とする着火器を提供するものである。
【０００９】
また、前記可動筒に設けた係止突部と前記操作アームの端部とを係止させ、前記可動筒をスライドして前記操作アームを引き下げ、該操作アームの押圧部が前記圧電ユニットの内箱を押し込め方向に操作して、高電圧を発生させる構成にしたものである。
【発明の効果】
【００１０】
本発明に係る着火器は、筒形に形成されて外筒が固定筒と可動筒とから成り、該可動筒がスライド自在な着火器であって、前記外筒内には少なくとも、ガス噴出レバーを押圧してガス噴出ノズルからガスを噴出させる押し釦と、高電圧を発生させて前記ガスに着火するために設けられる圧電ユニットとを備え、前記可動筒は前記押し釦を隠蔽状態に設け、前記可動筒をスライドすると前記押し釦を現出させ、更に前記可動筒をスライドすると前記圧電ユニットを操作する操作アームを引き下げて高電圧を発生させる構成にしたことによって、不使用時には押し釦が隠蔽状態にあり、使用時に押し釦を現出させるので、従来例のような不用意なガスの噴出や着火事故が防止できる。つまり、押し釦の操作が確実におこなえるので安全性が向上するという優れた効果を奏する。
【００１１】
また、ガスを噴出させる操作と圧電ユニットの操作とは別構造で操作され、押し釦はガス噴出の操作にのみ使用するので、従来例に比較して押し釦の押圧感が軽くなる。従って、指の不自由な方や老人等でも押し釦の押圧操作が容易であるという優れた効果を奏する。
【００１２】
そして、圧電ユニットの操作は、可動筒を手のひらで把持して後部にスライドしておこなうので、従来例のように指で押圧する場合と比較して操作性が良好である。従って、指の不自由な方や老人等でも可動筒のスライド操作が容易におこなえるという優れた効果を奏する。
【００１３】
更に、ガスを噴出させる操作と圧電ユニットの操作とは別々の部位で操作するので、各々の操作を誤って一緒におこなうことは考えらない。従って、前記の押し釦が隠蔽状態にあることと相俟って、不用意な着火事故が防止できて、安全性が向上するという優れた効果を奏する。
【００１４】
また、全体の形状が筒形状を呈しており斬新でスマートなデザインであると共に、可動筒を後部にスライドさせて着火するという従来には見られない新規な操作方法であることから、ユーザーの購買意欲の増大が期待できるという優れた効果を奏する。
【００１５】
そして、可動筒に設けた係止突部と前記操作アームの端部とを係止させ、前記可動筒をスライドして前記操作アームを引き下げ、該操作アームの押圧部が前記圧電ユニットの内箱を押し込め方向に操作して、高電圧を発生させることによって、可動筒を後部にスライドすると放電火花が発生して放出されたガスに着火することとなるという優れた効果を奏する。
【図面の簡単な説明】
【００１６】
【図１】本発明に係る着火器２１の正面図である。
【図２】本発明に係る着火器２１の背面図である。
【図３】可動筒２２ｂをスライドした状態の着火器２１の正面図である。
【図４】可動筒２２ｂをスライドした状態の着火器２１の背面図である。
【図５】可動筒２２ｂをスライドした状態の着火器２１の右側面図である。
【図６】可動筒２２ｂをスライドした状態の着火器２１の左側面図である。
【図７】着火器２１の着火状態を示す斜視図である。
【図８】着火器２１の縦断面図である。
【図９】可動筒２２ｂをスライドした状態の着火器２１の縦断面図である。
【図１０】可動筒２２ｂをスライドして圧電ユニット２６の内箱２６ｂを押し込め方向に操作した状態の着火器２１の縦断面図である。
【図１１】従来例に係る着火器１の縦断面図である。
【発明を実施するための形態】
【００１７】
次に、本発明の実施の形態について図面を参照しながら説明する。まず、図１から図１０において、符号２１は着火器を示し、この着火器２１は筒形に形成されて、外筒２２が固定筒２２ａと可動筒２２ｂとから成り、この外筒２２内にはガス噴出レバー２３を押圧してガス噴出ノズル２４からガスを噴出させる押し釦２５と、高電圧を発生させてガスに着火するために設けられる圧電ユニット２６とを備える。
【００１８】
固定筒２２ａは、外筒２２における上部側に固定状態で設けられており、また、可動筒２２ｂは、外筒２２における下部側に設けられており、所定の長さだけ後部にスライドが可能なように構成されている。
【００１９】
押し釦２５は、図１及び図２に示すように、可動筒２２ｂによって隠蔽された状態になっている。また、可動筒２２ｂを後部にスライドすると、図３から図６に示すように、押し釦２５が押圧可能な状態に現出する構造である。
【００２０】
また、押し釦２５は、図３及び図７に示すように縦長形状に形成されており、図示しない裏側に形成された突起がガス噴出レバー２３を押圧可能に取り付けられている。
【００２１】
ガス噴出レバー２３は、側面視が略くの字状に形成された一対のレバー片２３ａ、２３ａを有しており、このレバー片２３ａ、２３ａの下部がガス噴出ノズル２４の頸部を挟持して（図８から図１０参照）、弁を開成及び閉成可能なように組み付けられている。
【００２２】
このような構成のガス噴出レバー２３は、押し釦２５を押圧するとレバー片２３ａ、２３ａの上部を直立方向に傾けると共に、レバー片２３ａ、２３ａの下部がガス噴出ノズル２４の頸部を引上方向に動作して弁が開きガスの噴出が始まるように構成されている。
【００２３】
なお図８から図１０中の、符号２７はガス噴出ノズル２４の下部に設けられているバルブ機構を示し、符号２８はガスタンクを示し、また、符号３９は燃料注入機構を示す。
【００２４】
ガス噴出ノズル２４には、所定長さのガス管路２９が接続されており、このガス管路２９の先端部には放出ノズル３０が連設されている。
【００２５】
圧電ユニット２６は、伸縮自在に相互に嵌合する外箱２６ａと内箱２６ｂとを有している。この内箱２６ｂの内部には、図示しない圧電素子、ハンマー、復帰バネ等が組み込まれており、圧電素子をハンマーで打撃して高電圧を生じさせる仕組みである。
【００２６】
また、圧電ユニット２６には、該圧電ユニット２６の一方の電極２６ｃに接続された導電線３１が上方に向けて延出されており、その先端には上部配置の放電端子３２に連設している。更に、圧電ユニット２６の他方の電極に接続された図示しない導電板が下方に向けて延出されており、その先端がガス噴出ノズル２４に接続している。
【００２７】
圧電ユニット２６の上部及び側部には、操作アーム３３が設けられている。この操作アーム３３は、水平配置の第１アーム３３ａと、垂直配置の第２アーム３３ｂとから構成されており、第１アーム３３ａの一端部が支軸３４を介して回動自在に支持されている。そして、第１アーム３３ａの中央部位に形成された凸状の押圧部３５が内箱２６ｂの上端に押圧可能な状態で当接している。
【００２８】
第１アーム３３ａの他端部は、ピン３６を介して第２アーム３３ｂの上端部と回動自在に連結している。この第２アーム３３ｂは、所定長さに形成されて下方に垂下している。
【００２９】
操作アーム３３における第２アーム３３ｂの下端部は、段部３７が形成されており、この段部３７と、可動筒２２ｂの内壁面に設けられる係止突部３８とが係合可能に構成されている。
【００３０】
以上のような着火器２１は、不使用時には押し釦２５が隠蔽された状態に可動筒２２ｂを位置させる（図１、図２及び図８参照）。そして、使用時には可動筒２２ｂを後部にスライドして押し釦２５を現出させる（図３から図６及び図９参照）。この時、可動筒２２ｂの係止突部３８と第２アーム３３ｂの段部３７とが係合した状態に位置する（図９参照）。
【００３１】
更に、可動筒２２ｂを後部にスライドすると、図１０に示すように、係止突部３８が段部３７を引き下げることで第２アーム３３ｂを引き下げる。同時に第１アーム３３ａの他端部側がピン３６を介して引き下げられると共に、第１アーム３３ａの押圧部３５が圧電ユニット２６の内箱２６ｂを押し込め方向に操作する。この時、圧電ユニット２６が高電圧を発生させて放電端子３２と放出ノズル３０との間に放電火花が発生する。
【００３２】
上記の可動筒２２ｂを後部にスライドする時に、押し釦２５を押圧するとガス噴出ノズル２４からガスの噴出が始まり、当該ガスがガス管路２９の先端の放出ノズル３０から放出されるので、上記の放電火花によりガスに着火することとなる（図７参照）。
【００３３】
以上のように構成される着火器２１は、不使用時には押し釦２５が隠蔽状態にあり、使用時に押し釦２５を現出させるので、押し釦２５の誤操作が防止できて安全性が向上する。また、押し釦２５はガス噴出の操作にのみ使用するので押圧感が軽くなる。そして、可動筒２２ｂは手のひらで把持して後部にスライドするので操作性が良好である。更には、着火器２１の全体形状が筒形状を呈して斬新でスマートなデザインであると共に、可動筒２２ｂを後部にスライドさせて着火するという従来には見られない新規な操作方法であることから、ユーザーの購買意欲の増大が期待できるのである。
【産業上の利用可能性】
【００３４】
本発明の着火器２１は、圧電素子を打撃機構で打撃して高電圧を生じさせる圧電ユニット２６を使用した、所謂、圧電式ライター構造であるが、必ずしも同構造に限定されるものではなく、本体内に燃焼筒等の内燃機構を配設して本体内でガスの着火、燃焼をおこなう、所謂、内燃式ライター構造であってもよいことは勿論である。
【符号の説明】
【００３５】
１    着火器
２    本体部
３    外筒部
４    操作摘み
５    圧電ユニット
６    ガス放出用レバー
７    ノズルユニット
８    ノズル
９    ガス筒
１０  ガス放出ノズル
１１  放電端子
２１  着火器
２２  外筒
２２ａ固定筒
２２ｂ可動筒
２３  ガス噴出レバー
２３ａレバー片
２４  ガス噴出ノズル
２５  押し釦
２６  圧電ユニット
２６ａ外箱
２６ｂ内箱
２６ｃ電極
２７  バルブ機構
２８  ガスタンク
２９  ガス管路
３０  放出ノズル
３１  導電線
３２  放電端子
３３  操作アーム
３３ａ第１アーム（操作アーム）
３３ｂ第２アーム（操作アーム）
３４  支軸
３５  押圧部
３６  ピン
３７  段部
３８  係止突部
３９  燃料注入機構
【図１】
2010175212.tif 000003
【図２】
2010175212.tif 000004
【図３】
2010175212.tif 000005
【図４】
2010175212.tif 000006
【図５】
2010175212.tif 000007
【図６】
2010175212.tif 000008
【図７】
2010175212.tif 000009
【図８】
2010175212.tif 000010
【図９】
2010175212.tif 000011
【図１０】
2010175212.tif 000012
【図１１】
2010175212.tif 000013